Podtech/llm-jp-corpus-v4-ja_patent huggingface dataset:
(57)【要約】【課題】  近年、一般家庭においてＩＨ（電磁調理器）が広く普及している。  このＩＨにおいては、煮汁の噴きこぼれによるテーブルの汚れを大変嫌う。  また、ガスレンジにおいても、噴きこぼれによる汚れと、これに起因する不完全燃焼事故が発生する。  このため、調理素材の沸騰による噴きこぼれを防ぐため、調理の状況に応じ蒸気抜きを調整でき、噴きこぼれにくい蓋付きなべを提供するものである。【解決手段】  なべ本体（１）の上部を広げた開口部（２）に略水平に形成された棚（３）を設け、この棚上にひさし（６）を有する蓋体（７）を密接させて載置する蓋付きなべにおいて、なべ本体（１）の棚（３）の内側周縁に１個ないし複数個の本体凹部（８）を下向きに等配に設け、さらに、蓋体（７）のひさし（６）の内側周縁に本体凹部（８）と緩やかに嵌合される蓋体凹部（９）を、本体凹部（８）と同数個等配に下向きに設けたことを特徴とする蓋付きなべ。【選択図】図１
2009000476.tif 000002
【特許請求の範囲】
【請求項１】
なべ本体の上部を広げた開口部に略水平に形成された棚を設け、この棚上にひさしを有する蓋体を密接させて載置する蓋付きなべにおいて、なべ本体の棚の内側周縁に１個ないし複数個の本体凹部を下向きに等配に設け、さらに、蓋体のひさしの内側周縁に本体凹部と緩やかに嵌合される蓋体凹部を、本体凹部と同数個等配に下向きに設けたことを特徴とする蓋付きなべ。
【発明の詳細な説明】
【技術分野】
【０００１】  本発明は、一般家庭における調理に際し、調理素材の沸騰による噴きこぼれを防ぐため、調理の状況に応じ蒸気抜きを調整できる蓋付きなべに関するものである。
【背景技術】
【０００２】  従来より使用されている蓋付きなべは、なべ本体と蓋体とが常に密接する構造となっており、調理素材の沸騰により噴きこぼれる。
また、文献によると、なべ本体と蓋体との間に常に浮上間隙を形成させている鍋もあるが、これは、弱火で高温の蒸気をなべ本体内で循環させ、ことことと煮込む料理には煮汁が煮詰まるため不向きで、また、熱の無駄使いである。
【特許文献】  特開平１０−５１２１公報
【発明の開示】
【発明が解決しようとする課題】
【０００３】  従来の蓋付きなべは、蓋体に小さな蒸気抜き穴を有するが、なべ本体と蓋体とが常に密接する構造となっているため、調理素材の沸騰により発生する蒸気を、この小さな蒸気抜き穴では排気しきれない。
このため、なべ本体内の圧力が上昇し、蓋体が持ち上げられ、煮汁が噴きこぼれることにより、調理台およびその周辺が汚れ、さらに、ガスの一部消火による不完全燃焼事故に進展する恐れがある。
また、なべ本体と蓋体との間に常に浮上間隙を形成する鍋では、高温の蒸気が無駄に排出され、調理物が煮詰まるとともに熱効率が悪い。
本発明は、調理の状況に応じ蒸気抜きを調整することにより、これらの問題点を解決するものである。
【課題を解決するための手段】
【０００４】  なべ本体の上部を広げた開口部に、略水平に形成された棚と、この棚の端より略垂直に形成された立上り部を有し、略水平に形成された棚上に、周間隙を形成させて、ひさしを有する蓋体を密接載置する蓋付きなべにおいて、なべ本体の棚の内側周縁に１個ないし複数個の本体凹部を下向きに等配に設け、さらに、蓋体のひさしの内側周縁に本体凹部と緩やかに嵌合される蓋体凹部を、本体凹部と同数個等配に下向きに設けたことを特徴とする蓋付きなべ。
【発明の効果】
【０００５】  本発明は、従来から使用されている蓋付きなべと同様に、弱火でことことと煮込む料理の場合には、蓋体をなべ本体に密接載置することにより、高温の蒸気をなべ本体内で循環させて調理でき、また、泡立ち易い調理素材や強火で沸騰させて調理する場合には、蓋体を回してずらすことにより、手軽に蒸気抜きの浮上間隙を設けることができる。
このため、煮汁の噴きこぼれによる調理台およびその周辺の汚れ、ガス消えによる不完全燃焼事故を防ぐことができるとともに、熱効率良く調理することができる。
【発明を実施するための最良の形態】
【０００６】  以下、本発明の実施の形態を説明する。
実施例は、本体凹部および蓋体凹部は各３個とする。
なべ本体（１）の上部を広げた開口部（２）に、略水平に形成された棚（３）と、この棚（３）の端より略垂直に形成された立上り部（４）を有し、略水平に形成された棚（３）の上に、周間隙（５）を形成させて、ひさし（６）を有する蓋体（７）を密接載置する蓋付きなべにおいて、なべ本体（１）の棚（３）の内側周縁にＢ密接部（１１）を残し、３個の本体凹部（８）を下向きに等配に設け、さらに、蓋体（７）のひさし（６）の内側周縁にＢ密接部（１１）を残し、本体凹部（８）と緩やかに嵌合される蓋体凹部（９）を３個等配に下向きに設ける。
図１は、従来より使用されている蓋付きなべの使用状態と同様に、本体凹部（８）と蓋体凹部（９）が嵌合され、なべ本体（１）の棚（３）と蓋体（７）のひさし（６）がＡ密接部（１０）およびＢ密接部（１１）により全周が密接した状態を示す。
これは主に、煮物が沸騰するまで、または、弱火で高温の蒸気をなべ本体（１）内で循環させ、煮物をことことと調理する場合の使用状態で、蒸気抜き穴（１２）より噴きこぼれを誘引する蒸気を排気しきれる場合を示す。
図６は、蓋体（７）のひさし（６）に設けた蓋体凹部（９）を、なべ本体（１）の棚（３）に設けた本体凹部（８）よりずらし、蓋体凹部（９）を棚（３）の上に係止させ、棚（３）とひさし（６）との間に浮上間隙（１３）を形成させた状態を示す。
これは主に、泡立ち易い調理素材、または、強火で沸騰させて調理する場合の使用状態で、蒸気は浮上間隙（１３）および周間隙（５）により十分に排気され、立上り部（４）と相まって煮汁が噴きこぼれることはない。
【図面の簡単な説明】
【０００７】
【図１】  両凹部が嵌合した状態で、なべ本体の棚と蓋体のひさしが密接した状態の蓋付きなべの側面図（一部断面図）である。
【図２】  図１の蓋体の上面図である。
【図３】  図１のなべ本体の上面図である。
【図４】  蓋体を３０度時計方向に回して両凹部の嵌合を解き、浮上間隙を形成した状態の蓋付きなべの側面図（一部断面図）である。
【図５】  図４の蓋体の上面図である。
【図６】  図４のなべ本体の上面図である。
【符号の説明】
【０００８】  １    なべ本体
２    開口部
３    棚
４    立上り部
５    周間隙
６    ひさし
７    蓋体
８    本体凹部
９    蓋体凹部
１０  Ａ密接部
１１  Ｂ密接部
１２  蒸気抜き穴
１３  浮上間隙
【図１】
2009000476.tif 000003
【図２】
2009000476.tif 000004
【図３】
2009000476.tif 000005
【図４】
2009000476.tif 000006
【図５】
2009000476.tif 000007
【図６】
2009000476.tif 000008
(57)【要約】【課題】  入浴の時に使用するシャワーヘッドに関するもので、手に持って所要な所に向けて湯、又は水を噴出させ洗い流しているのが常であり、片手が塞がってしまい動作に制限が出て、不便さが起こっている、本発明はその片手の甲にシャワーヘッドを固着して、その制限を解放し両手が自由に使える様な機能を提供するものである。【解決手段】  シャワーヘドが片手の手の甲に容易に取り付けられる挿入型の固着装置と流量調節機能のある、開閉バルブを備えたシャワーヘドの構成である、又バンド型の固着装置も、片手の動作機能の制限を解放する。【選択図】図１
2009000471.tif 000002
【特許請求の範囲】
【請求項１】
浴用シャワーのシャワーヘッドを片手の手の甲に取り付け固着して、自由にシャワー機能を妨げることなく使用できる、固着装置と流量調節、開閉バルブ付シャワーヘッドで構成する、介護用のシャワーヘッドとその製造方法。
【請求項２】
汎用の浴用シャワーヘッドを請求項１のように片手の手の甲に固着する為の柔軟なゴム又はナイロンや布等とホック又は面ファスナーで構成し巻きつけてシャワーヘッドを固着する機能を有する，介護用として便利になるシャワーヘッド固着バンドとその製造方法。
【発明の詳細な説明】
【技術分野】
【０００１】  本発明は沐浴や入浴の時に使用するシヤワーに関するもので，浴場や浴室内で使われ壁面や柱等に掛けられ，その所より湯又は水を噴出させ洗い流している時と、手に持って所用な所に流水、湯、水を向けて使用している時がある、  シャワーヘッド（湯水が噴出する部分）を壁面又は柱等の壁掛けから外して手に持った時は手の平に握って保持しているのが常である，本発明はそのシャワーヘッドに関する発明である。
【背景技術】
【０００２】最近は種々なシャワーヘッドがありデザイン、色調や流量調節、開閉機能等、数種類があり、ホームセンター等で販売されていることが知られている。
【発明の開示】
【発明が解決しようとする課題】
【０００３】  本発明はそのシャワーヘッドの使用者側の手扱いについて利便性を計るために発明されたものである、それは次の様な問題点がある、
（イ）シャワーヘッドを手に持った時には手の平で握って保持をするので片手が塞がり両手の動作に制限が起こってしまう、片手の不自由な時にはより不便さが大きくなる。
（ロ）介護をする場合は両手が使用できることが最良である、乳幼児の沐浴をする時には強く不便さをかんじる。
（ハ）従来汎用のものは、噴出する湯水の開閉や流量調節バルブは，離れた場所にあり、本発明の操作には不向きな所にあるもの等があり機能と装置の関係位置を定めることが必要である。
【課題を解決するための手段】
【０００４】  シャワーヘッドを片手の甲に取り付け、その手の指先に向かって湯又は水を噴出させることが必要である、試作し実験を試みた、薄いベルト状のゴム板を２枚用意し、１枚を手の平を介して手の甲に巻き付け移動しない様にホック又は面ファスナー等の止め具を使用し固定する、残りの１枚はシャワーヘッドの胴体部分に巻き付けて同様に固定する、ゴム板の巻かれたシャワーヘッドをゴム板の巻かれている手の甲の上に噴出口を指先に向けゴム板同種が重なる様に乗せる、シャワーヘッドから噴出した湯又は水がゴム板の巻かれた手の指の間を通り曲げた指先に向かう様に位置を決定する、この位置で２枚のゴム板ベルト同種の接合している部分を接着又は縫合して一体化した固着バンドとなる、各々のベルトの止め具を緩めるか又は締め直すことで設定位置の再調整は可能である、このバンドで固着して噴出使用した実験は想定した通りの良好な結果を得た。【０００５】  手の甲に固着した時の使用上の利便性を計るため、簡素化と機能を付加するにはシャワーヘッド本体の側面に、即ち手の甲を添えた手を固着できるように、実験の時のゴムバンドに替わる、手の着脱が容易な弾力性のある片手の手の甲までが入る差込み装置を設ける、並びに湯又は水の開閉や流量を調節するバルブをシャワーヘッドの胴体の側面を貫通させ突出したスライド式の可動弁で弁の頭部をシャワーヘッドを付けた片手を左右に動かして付近にある他の物体に押し付けて右又は左に弁をスライドさせ移動させることで切り替え操作が可能である操作バルブをシャワーヘッドの本体に設ける構成である。【０００６】  本発明のシャワーヘッドはプラスチック等を主たる材料として、一体の構成として製作する、又実験で形成されたシャワーヘッドの固着バンドは従来型のシャワーヘッドにも利用可能であり、介護用固着バンドとして有効である。
【発明の効果】
【０００７】  本発明のシャワーヘッドは片手の手の甲に固着してシャワーを使える様に機能を備えたもので，従来は手に持つとは手の平に握ることで片手は塞がり使用中は専有され他の作業に制限を加えるのみである、本発明により手の甲に固着させた時は指で摘む、指先で擦る等や石鹸や用具を取ること又は手の平を含めて身体を支えることも可能である、シャワーを使用中であっても手の機能は回復すると考えられる、又介護をする側、される側にも浴室の滑り易さを思えば両手を使えることで安全性を高め有効に機能するものである。
【発明を実施するための最良の形態】
【０００８】  以下、本発明の実施の形態を説明する
（イ）シャワーヘッドの本体は外観的に汎用品と同様にホース等に繋ぐ接続部と導水管の通る胴体部と頭部に湯又は水の噴出する噴出口からなる。
（ロ）手の甲に固着する手の挿入装置は胴体の外側に飛行機の両翼の様に薄板を両側に出し、シャワーヘッドを手の甲の上に重ねた時両翼が円弧を描いた曲がりで手の平を抱く様になる形状で手、母指を除く４指を挿入した時に弾力性があり手の平まで挿入出来て、シャワーヘッドが手の甲に固着する挿入口２、となる装置を備える。
（ハ）開閉、流量調節バルブは胴体の内部を通る導水管の出日付近、手の挿入口の上部に設ける、シャワーヘッド本体の側面を導水管を含めて貫通する角穴を開口する、その角穴に内接して従動する角型の従動体で導水管に接続する口径の大孔、と従動体をスライドさせて接続する小径の小穴を設け、導水管を閉口させる閉口位置、を設けた従動体を角穴に内装し、従動体の頭部には突角のない安全な形状の半球形のストッパーを取り付ける、閉塞，小孔、大孔と従動体をスライドさせて行う開閉流量調節バルブ３、を設ける，、又水漏れ等に対応するオーリング等のパッキングが可能な構成である。【０００９】本発明のシャワーヘッドの使用の形態は、片手の手の甲をシャワーヘッド側に向けて手、母指を除く４指を手の挿入口２に挿入する、手の平まで挿入することで装置は弾力性であり固着は終了している、噴出する湯水を出すには従動体の頭部の半球形のストッパーを押し込む様に手首を左に又は右に動かして、他の側面にある物体を利用してスライドさせ開閉流量調節バルブ３を操作する、噴出した流水，流湯は自由な方向に向けることができ、両手は自由に使える。
【図面の簡単な説明】
【００１０】
【図１】  本発明のシャワーヘッド本体の斜視図である。
【図２】  汎用のシャワーヘッドを本発明のシャワーヘッド固着バンドで手に付けた斜視図である。
【符号の説明】
【００１１】  １      シャワーヘッド。
２      片手を差し込む挿入口。
３      開閉流量調節バルブ。
４      シャワーヘッド固着バンド。
【図１】
2009000471.tif 000003
【図２】
2009000471.tif 000004
(57)【要約】【課題】  従来のゴルフ用ティーは、ティーアップしたボールをショットするときの衝撃に弱く、折れやすかった。【解決手段】  そこで、ティーの脚部分の一部にゴム管を接続し、柔軟性を持たせることにより、折損を防止することができる。【選択図】図１
2009000475.tif 000002
【特許請求の範囲】
【請求項１】
ゴルフ用のティーを改良し、打球したときに折損を防止するためのゴム管を接続させて、長期使用に耐えるようにしたティー。
【発明の詳細な説明】
【技術分野】
【０００１】  本発明は、ゴルフ用ティーの折損による資源の無駄をを省く。
【背景技術】
【０００２】  従来のゴルフ用ティーは、打球したときに折損しやすい。
【発明の開示】
【発明が解決しようとする課題】
【０００３】  以上に述べた従来のティーでは、打球したときに折損しやすく、資源の無駄となっている。【０００４】  本発明は、こうした従来の構成が有していた問題を解決しようとするものであり、折損による資源の無駄を省くことを目的とするものである。
【課題を解決するための手段】
【０００５】  そして、本発明は、上記目的を達成するためにゴルフ用ティーの脚の部分にゴム管を接続して、打撃に対して柔軟に対応できるように工夫したものである。
【発明の効果】
【０００６】上述したように本発明のゴルフ用ティーは、打撃の衝撃を柔軟に吸収し、長期間の使用に耐えるティーとして提供でき、資源の無駄を省くことができる。
【発明の実施するための最良の形態】
【０００７】  以下、本発明の実施の形態を図１に基づいて説明する。
【０００８】  図１においては、ティー全体の形状と斜線部分においてゴム管使用部分の形状を示した。
【図面の簡単な説明】
【０００９】
【図１】  本発明の実施形状を示すゴルフ用ティーの断面図
【符号の説明】
【００１０】  斜線部分は、ゴム管使用部分
【図１】
2009000475.tif 000003
(57)【要約】      （修正有）【課題】家庭や病院の病室、学校の教室等の掃除をする時に電気掃除機を使用するが、動作音が騒々しく静かな電気掃除機が望まれる。【解決手段】エボナイトや塩化ビニル等の帯電性のある材質で作った集塵棒に暖めると静電気を発生するトルマリン鉱石３を電熱ヒーター４で暖めて帯電させ、騒音の小さいファン６でチリ、ホコリを集める。吸着したチリ、ホコリは酸化チタンで消滅させる。【選択図】図１
2009000479.tif 000002
【特許請求の範囲】
【請求項１】
トルマリン鉱石を不燃性で導電性の材料で作った受け皿に入れ、これをヒーターで加熱し、静電気を発生させ、ゴミ吸入棒に帯電させてゴミやホコリを吸着させて外周を竹や木材で囲み騒音の小さいモーターを回転させてゴミホコリを吸引する低雑音電気掃除機
【発明の詳細な説明】
【技術分野】
【０００１】この発明は家庭や病院、学校等で使用される電気掃除機に関するものである。
【背景技術】
【０００２】家庭や病院、学校等で清掃作業を行う場合にはモーターを回転させてゴミやホコリを筐体内部の袋に吸引するいわゆる電気掃除機が使用されている。
これは動作音つまりモーターの回転音や、空気を吸入する時に発生する風の音が激しく静寂を要する場所では不適当であった。
【発明が解決しようとするための課題】
【０００３】本発明はこの欠点を取り除くものである。
【発明が解決しようとする手段】
【０００４】エボナイトや塩化ビニルのような帯電性のある材料で作った吸着棒（１）の一方を尖らせておく、他方を平らにして皿状にし、トルマリン鉱石（３）を数個置き、これを電熱（４）で加熱して静電気を発生させ、外周を木や竹等、絶縁性の高い材料で覆う。
【発明を実施するための最良の形態】
【０００５】以下、本発明の実施の形態について説明する。
（イ）図−１は本発明の構造図である。
（ロ）先端を尖らせたエボナイトや塩化ビニルで作った吸着棒（１）の他端を広げ、トルマリン鉱石の受け皿部とする。
（ハ）この受け皿部の下部に電熱のヒーター（４）を置く。
（ニ）この吸着棒（１）の外側をこの棒を手で保持するため静電気を絶縁する材料の竹、又は木で作った２つに割れるカバーで覆う。
（ホ）このカバーには操作し易い取っ手を設けておく。
（ヘ）清掃する場所からチリ、ホコリを吸着棒（１）に吸い込ませるために騒音の小さいファン（６）を外箱カバー（７）に備えておく。
（ト）同様にカバー（７）は清掃するために容易に分割できる構造にしておく。
（チ）カバーの内部には商用電源からヒーター（４）とファン（６）を動作させるために電圧を整えるトランス（５）及び電源スイッチ（９）を備える。
（リ）吸着棒（１）には酸化チタンを塗布しておく。
（ヌ）天気の良い時に吸着棒（１）を太陽光に当てホコリを消滅させる。
【発明の効果】
【０００６】部屋や、教室、病室の掃除が静かにできるようになる。
【図面の簡単な説明】
【０００７】
【図１】図−１は本発明の構造図である。１吸着棒  ２竹筒  ３トルマリン鉱石  ４ヒーター  ５トランス  ６ファン  ７外箱  ８電源コード  ９電源スイッチ
【図１】
2009000479.tif 000003
(57)【要約】【構成】マスク１の裏面に粘着剤層２を設けてなり、顔面に粘着剤層２を介して貼付して口及び鼻を被覆するマスク１。マスク１の裏面の外周縁部全体に粘着剤層２を設けるとよい。マスクの裏面のマスクが当接する鼻の部分に凹みを設けるとよい。【効果】  マスクを紐などで両耳に掛ける必要がなく、その為、マスクをしていても、耳が痛くなったり、耳掛け操作がやっかいであったり、両頬の部分の血行を阻害しまり等の障害がなく、又、口及び鼻のみを被覆して掛けられる為、マスクを掛けているというその存在感を軽減することができる。又、粘着剤層をマスクの裏面の外周縁部全体に設けた場合、上記効果に加え、マスクのずれやマスクの上部からの息漏れによる眼鏡の曇り止め効果に優れ、更には、当該マスクが当接する鼻の部分に凹みを設けることにより、より一層マスクのずれやマスクの上部からの息漏れによる眼鏡の曇り止め効果を奏し得る。【選択図】        図１
2009000420.tif 000002
【特許請求の範囲】
【請求項１】
マスクの裏面に粘着剤層を設けてなり、顔面に当該粘着剤層を介して貼付して口及び鼻を被覆することができることを特徴とするマスク。
【請求項２】
マスクの裏面の外周縁部全体に粘着剤層を設けてなることを特徴とする、請求項１に記載のマスク。
【請求項３】
マスクの裏面の当該マスクが当接する鼻の部分に凹みを設けてなることを特徴とする、請求項１又は２に記載のマスク。
【発明の詳細な説明】
【技術分野】
【０００１】
本発明は、マスクに関するものである。
【背景技術】
【０００２】
従来のマスクは、マスク本体の両端を紐などで両耳に掛け、マスク本体を口や鼻に当てて装着しており、耳が痛くなったり、耳掛け操作がやっかいであったり、両頬の部分の血行を阻害したり、マスク本体の上部から息が漏れ眼鏡が曇ってしまう等の欠点があった。
又、従来のマスクは、顔の大きな部分を被覆して掛けられる為、マスクを掛けているというその存在感が大きくなり過ぎ、その為にマスクを掛けることを躊躇する人もいる。
【発明の開示】
【発明が解決しようとする課題】
【０００３】
本発明は、上記のような従来技術の欠点を解消できる技術を提供することを目的としたものである。
本発明の他の目的および新規な特徴は以下の明細書及び図面の記載からも明らかになるであろう。
【課題を解決するための手段】
【０００４】
本発明の特許請求の範囲は、次の通りである。
（請求項１）  マスクの裏面に粘着剤層を設けてなり、顔面に当該粘着剤層を介して貼付して口及び鼻を被覆することができることを特徴とするマスク。
（請求項２）  マスクの裏面の外周縁部全体に粘着剤層を設けてなることを特徴とする、請求項１に記載のマスク。
（請求項３）  マスクの裏面の当該マスクが当接する鼻の部分に凹みを設けてなることを特徴とする、請求項１又は２に記載のマスク。
【発明の効果】
【０００５】
本願において開示される発明のうち代表的なものによって得られる効果を簡単に説明すれば、下記のとおりである。
すなわち、本発明によれば、マスクを紐などで両耳に掛ける必要がなく、その為、マスクをしていても、耳が痛くなったり、耳掛け操作がやっかいであったり、両頬の部分の血行を阻害しまり等の障害がなく、又、口及び鼻のみを被覆して掛けられる為、マスクを掛けているというその存在感を軽減することができる。又、粘着剤層をマスクの裏面の外周縁部全体に設けた場合、上記効果に加え、マスクのずれやマスクの上部からの息漏れによる眼鏡の曇り止め効果に優れ、更には、当該マスクが当接する鼻の部分に凹みを設けることにより、より一層マスクのずれやマスクの上部からの息漏れによる眼鏡の曇り止め効果を奏し得る。
【０００６】
次に、本発明の実施例を図面を参照しつつ説明する。
【実施例】
【０００７】
図２に示すように、本発明のマスク１は、当該マスク１の裏面に粘着剤層２を設けてなり、図１に示すように、顔面に当該粘着剤層２を介して貼付して使用する。
図３に示すように、当該マスク１は、当該粘着剤層２を介して顔面に貼付して人の口３及び鼻４を被覆することができる。
【０００８】
当該マスク１は、例えば、不織布により構成される。当該不織布よりなるマスク１は、花粉対策、風邪予防、粉塵対策、衛生面等から、例えば２〜４層の積層構造物よりなることが好ましい。
当該マスク１の形態は、呼吸の容易さ等から、口に直接触れないように空間を有する立体形状を有するものに構成することが好ましい。例えば、楕円円錐型や楕円円筒型が好ましい。
当該マスク１は、ディスポ−サブル（使い捨て）とすることができる。
【０００９】
上記の粘着剤層２は、顔面に対して繰り返して装着と脱着が可能なアレルギ−等皮膚の弱い人でも安心して使用できる粘着剤で構成することが好ましく、例えば、シリコ−ン系粘着剤により構成することができる。
当該粘着剤層２は、必要箇所に部分的に設けてもよいが、図２（Ａ）に示すように、マスク１の裏面の外周縁部全体に粘着剤層２を設けると、マスク１のずれやマスク１の上部からの息漏れによる眼鏡の曇り止めやマスク１を紐などで両耳に掛ける必要がなく、マスク１を口３及び鼻４のみを被覆することができるようになり、その為、マスク１をしていても、耳が痛くなったり、耳掛け操作がやっかいであったり、両頬の部分の血行を阻害したり等の障害がなく、又、口３及び鼻４のみを被覆して掛けられる為、マスク１を掛けているというその存在感を軽減することができる。更に、当該粘着剤層２の介在により、マスク１を紐などで両耳に掛ける場合とは異なり、肌に密着させることがきる。
【００１０】
図４に示すように、当該マスク１の裏面上部には、当該マスク１が当接する鼻の部分に凹み５を設けるとよい。
これにより、マスク１を紐などで両耳に掛けないで、マスク１の裏面に粘着剤層を設け顔面に貼付けして口３及び鼻４を被覆してマスクの働きをさせる場合のより一層の会話中のマスク１のずれやマスク１の上部からの息漏れによる眼鏡の曇り止めを軽減できる。
当該凹み５は、鼻の形状や深さなどを考慮してその旨の態様とするとよい。
【００１１】
本発明は上記実施例に限定されず、適宜変更が可能である。
【産業上の利用可能性】
【００１２】
本発明は、マスク以外の眼鏡等各種の場合にも適用できる。
【図面の簡単な説明】
【００１３】
【図１】本発明の実施例を示すマスクの使用構成図である。
【図２】（Ａ）本発明の実施例を示すマスクの裏面図、（Ｂ）本発明の実施例を示すマスクの断面図である。
【図３】本発明の実施例を示す透視図法によるマスクの使用構成図である。
【図４】本発明の他の実施例を示すマスクの構成図である。
【符号の説明】
【００１４】
１…マスク
２…粘着剤層
５…凹み
【図１】
2009000420.tif 000003
【図２】
2009000420.tif 000004
【図３】
2009000420.tif 000005
【図４】
2009000420.tif 000006
(57)【要約】【目的】１．コンクリート型枠の精度の向上と、効率化を図り業界の発展に貢献する。２．木材を使わない型枠施工を推進し、地球の緑を守り、温暖化防止に貢献する。３．もみ殻の製品化によって、全国農村の活性化に貢献する。【構成】使用目的によって、所定の寸法、強度に応じた割合で、そばがらや、もみ殻等とセメントを柿渋混入の水で、スランプ約１８センチの軟らかさに練り合わせ、必要に応じて竹毛を入れてよく撹拌し、所定の寸法の型板に入れ、よく突き固めてモミメントパネルを成型する。【選択図】図１
2009242217.tif 000002
【特許請求の範囲】
【請求項１】
そばがらや、もみがらとセメントと竹を細く割ったもの（以下、竹毛と云う）を柿渋混入の水で練り合わせ、用途に応じた寸法の板に成型して建築材料として用いるものである。
【発明の詳細な説明】
【発明の詳細な説明】
【産業上の利用分野】
【０００１】この発明は、建築工事等のコンクリート型枠板として転用板、残存板として用いられるほか、鉄骨等の耐火被覆や化粧壁面材等、広範にわたり、利用できる。
【背景技術】
【０００２】従来、型枠板は、合板（コンパネ）が一般的で、コンクリート打込残存型枠板もその必要性から研究開発がなされ、ロックウールや、ポリスチレン等を木毛マグネシア板等で挟んだ複層ボード等がある、又セメント糊と木毛を混和成型した木毛セメント板等もある。
【発明が解決しようとする課題】
【０００３】これらはいずれも、材料費、施工費が高く一般化されていない、今後いかにして安く提供出来るかが、需要拡大に向けての大きな課題である。
【課題を解決するための手段】
【０００４】課題を解決するため、原料に全国の農村どこでも簡単に手に入る、そばがらや、もみがらと竹とセメントを用いる事で格安な価格での提供が可能である。
【作用】
【０００５】本発明の特徴であるセメントと、そばがらや、もみがらの混和は結露防止の作用が期待でき、更に弾性強靭な竹毛と混和することで用途に応じた厚さの板を成型できる、又、吸音、保温の効果も期待できる。
【実施例】
【０００６】以下、本発明モミメントパネル（２０ミリ厚）を用いたコンクリート型枠組立の実施例を説明する。
（イ）内側面モミメントパネル（１）をセットし、丸セパ孔にＰコン（２）を通し組立主材（３）をモミメントパネル（１）を挟みながらフォームタイ（４）で取り付ける。
（ロ）次いで組立主材（３と組立主材（３）の間や要所に中間主材（３）等を取り付け、横パイプ（５）等をフォームタイ（４）で締め付けて内側面型枠を完了し、以下同じ外側面を完了する。
以上のように、本発明は施工性に優れ、精度、工事費削減に期待が持てる。
【発明の効果】
【０００７】本発明は、天然素材として、コンクリート型枠板や、外気に接するコンクリート内壁面の結露防止下地材や鉄骨の防火被覆材として、質の向上、低価格提供により、業界の発展に寄与すると共に、主原料のそばがらや、もみ殻等の再利用は、全国農村各地の活性化にもつながる。
【図面の簡単な説明】
【図１】本発明請求項１モミメントパネルの姿図である。
【図２】本発明請求項１モミメントパネルによる基礎型枠組立断面図である。
【図３】本発明請求項１モミメントパネルによる基礎型枠組立平面図である。
【符号の説明】
１．内側面モミメントパネル
２．Ｐコン付丸セパ
３．組立主材
４．フォームタイ
５．横パイプ
６．外面モミメントパネル
【図１】
2009242217.tif 000003
【図２】
2009242217.tif 000004
【図３】
2009242217.tif 000005